(57)【特許請求の範囲】
【請求項１】
焼却炉内壁に装着するタイルの取付けに用いる複数の支持物の位置決め及び取付け装置であって、
前記炉壁に適合する形状を有する炉壁用部分と、
前記複数の支持物にそれぞれ適合する形状を有する支持物用部分とを備え、前記支持物用部分は、焼却炉の上下方向及び横方向ともにそれぞれ複数個整列され且つそれぞれ互いに隣接する支持物を取付けるべき位置と同じ間隔を空けて配置され、
前記支持物用部分は、対応するそれぞれの前記支持物と上下方向に略同一の形状を有し且つ該支持物と焼却炉内壁からの高さが略同一であることを特徴とする位置決め及び取付け装置。
【請求項２】
請求項１に記載の位置決め及び取付け装置を使用して焼却炉内壁にタイルを位置決めし取付ける方法であって、
既に取付けられた支持物のうち最上段の列を形成する支持物に、前記位置決め及び取付け装置の複数の支持物用部分のうち最下段の列を形成する支持物用部分を介挿させ、且つ前記装置の炉壁用部分を焼却炉内壁に設置し、
さらに前記最下段の列を形成する支持物用部分の上方に形成される他の支持物用部分と焼却炉内壁との間に、取付けるべき支持物を介挿させ、且つ該支持物を焼却炉内壁に取付けることを特徴とする位置決め及び取付け方法。
【発明の詳細な説明】
【０００１】
【発明の属する技術分野】
本発明は、焼却炉内の炉壁に装着する耐火タイル等を支持するフック等の支持物を取付ける装置及び取付け方法に関する。
【０００２】
【従来の技術】
焼却炉では炉内の熱の上昇を防止するために内壁に水管が設けられ、さらに該水管を連結する板状のフィンが設けられている。さらに、この水管を熱及び腐食性ガスから保護するために通常Ｓｉｃタイル等の耐火タイルが装着されている。このタイルの装着方法の１つとして、フィンにフック等の支持物を取付け、支持物をタイル中央に設けられた開口に引掛けタイルを支持させる方法がある。この方法においてそれぞれの支持物は互いに等間隔かつフィンに対して垂直に取付ける必要がある。なぜなら間隔にばらつきがあると、支持物により支持されるそれぞれのタイルが互いに干渉しタイルが十分に装着できないことや、それぞれのタイル同士間に大きな隙間が生じ隙間部分について水管を腐食性ガス及び熱から保護ができないこととなるからである。また、フックがフィンに対して垂直に取付けられていない場合にも、タイルが十分に装着できないという問題がある。
【０００３】
従来、支持物を取付ける場合、特に作業員が炉内で支持物を溶接して取り付ける場合には、作業員が巻尺で支持物の取付け位置をマーキングし、マーキングを目印にして支持物をフィンに溶接し取付けていた。
【０００４】
【発明が解決しようとする課題】
上記マーキングは、作業員が立ち姿勢で巻尺を当てて支持物の取付け位置を測定し、手作業でマーキングするものであるため正確な位置決めが困難であった。また、上記溶接においても作業員が支持物をそれぞれマーキングを目印として目測で溶接するために溶接時に支持物を傾斜させて溶着してしまう可能性があった。
【０００５】
すなわち、従来の支持物をマーキングし溶接する方法では、作業員個人の能力によって、支持物の位置決め及び取付け精度が左右され、経験の浅い作業員の場合、位置決め及び取付け精度が著しく低下するという問題があった。
【０００６】
【課題を解決するための手段】
従って、本発明は上記問題を解決し、支持物をフィンに対して垂直に取付けることができ且つ正確な位置に取り付けることができる装置と、該装置を使用した支持物取付け方法とを提供することを目的とする。
【０００７】
請求項１によれば、本発明は焼却炉内壁に装着するタイルの取付けに用いる複数の支持物の位置決め及び取付け装置であって、前記炉壁に適合する形状を有する炉壁用部分と、前記複数の支持物にそれぞれ適合する形状を有する支持物用部分とを備え、前記支持物用部分は、縦方向及び横方向ともに複数個設けられ且つそれぞれ互いに隣接する支持物を取付けるべき位置と同じ間隔を空けて配置され、前記支持物用部分は、対応するそれぞれの前記支持物と上下方向に略同一の形状を有し且つ該支持物と焼却炉内壁からの高さが略同一であることを特徴とする位置決め及び取付け装置を提供する。
【０００８】
さらに、請求項２によれば、本発明は上記位置決め及び取付け装置を使用して焼却炉内壁にタイルを位置決めし取付ける方法であって、既に取付けられた支持物のうち最上段の列を形成する支持物に、前記位置決め及び取付け装置の複数の支持物用部分のうち最下段の列を形成する支持物用部分を介挿させ、且つ前記装置の炉壁用部分を焼却炉内壁に設置し、さらに前記最下段の列を形成する支持物用部分の上方に形成される他の支持物用部分と焼却炉内壁との間に、取付けるべき支持物を介挿させ、且つ該支持物を焼却炉内壁に取付ける位置決め及び取付け方法を提供する。
【０００９】
本装置によれば焼却炉内壁に装着するタイルを支持するための支持物を同時に複数個正確に位置決めすることができる。すなわち、本装置の支持物用部分は縦方向、横方向ともに取付けるべき支持物と同一の間隔が空けられており、さらに支持物に適合する形状をなしているため、本装置全体を焼却炉内壁に設置し、支持物用部分と焼却炉内壁との隙間に支持物を介挿させ焼却炉内壁に取付けた場合、複数の互いに隣接する支持物が正確な位置関係を有する支持物群が同時に形成される。
また、本装置によれば、タイルを支持するための支持物が傾斜して焼却炉内壁に取り付けられないようにすることができる。すなわち、支持物を本装置と焼却炉内壁との間に介挿させることにより位置決めするための本装置の上記支持物用部分を支持物と上下方向に略同一形状にさせることにより、位置決め時に支持物が上下方向に傾斜することを防止することができる。また、支持物の高さと支持用部分の焼却炉内壁からの高さとを略同一にさせることにより、位置決め時に本装置が焼却炉内壁方向に支持物を押さえると共に支持物が横方向に傾斜することを防止することができる。従って、作業員の能力のいかんを問わず各支持物の取付け精度をより向上させることができる。
【００１０】
さらに、本装置を使用した支持物の位置決め及び取付け方法によれば、上記支持物群同士も互いに正確な位置関係を有することとなる。すなわち、本装置により既に取付けられた支持物群の最上段の列を形成する支持物に本装置の支持物用部分の最下段の列を介挿させた場合、該最下段の支持物用部分が位置決めの基準となり、本装置における上方の支持物用部分が焼却炉内壁の支持物を取付けるべき位置に合致する。従って、まず最初に本装置全体を正確に位置決めして使用し、支持物を取付け支持物群を形成した場合、以後、その支持物群から上方に向かって順番に本装置を使用し支持物を取付けていくことのみにより、正確な支持物の位置決め、取付けを容易に行うことができる。
【００１３】
以下、本明細書に添付した図面を参照しつつ本発明の実施形態の１つについて説明する。
【００１４】
【発明の実施の形態】
まず、図１〜３を参照すれば、焼却炉内壁に耐火性を有するＳｉｃタイルを装着した状態を示している。Ｓｉｃタイル２０は水管１２と水管を連結するフィン１４とに嵌合して装着される。タイル２０は一定の重量を有するためにタイルの装着強度を向上させるためにタイルを支持する支持金具２２が必要となる。この支持金具２２はフィンに直接溶着される。またタイル２０は、タイル２０中央のフィン側の面に設けられた支持金具受承穴２４に支持金具を受承させることで支持される。さらに、図３に示すように支持金具２２は上方に突出するＬ型形状のフックである。
【００１５】
図１に示すようにＳｉｃタイルは多数整列されて配置されるものであり且つそれぞれ同一形状であるために、これを支持する支持金具２２は互いに縦方向及び横方向共に等間隔を離間させて取付ける必要がある。本発明の支持物位置決め及び取付け装置１０（以下「本装置１０」と称す）は、支持金物２２を位置決めし、取付けるために使用するものである。
【００１６】
図４を参照すれば、本装置１０は一方が開放された長方形の箱型形状を有する。本装置１０は支持金物を位置決めし取付ける際に手作業により水管１２とフィン１４とに設置させる。また本装置１０の開放側は水管１２とフィン１４、特に水管１２に嵌合させることができるような形状を有している。これにより本装置１０は横方向にずれることなく、また傾斜することなく設置することができる。この設置作業については後述する。
【００１７】
また、本装置１０は、その両側部に支持金物２２と略同形状のＬ型形状の切り込み１６をそれぞれ複数個設けている。この切り込み１６は、縦方向に互いに等間隔を空けて配置されている。また両側壁の切り込み１６はそれぞれ対称すなわち対応する両側壁の切り込みは本装置の底部側の面から同じ距離にそれぞれ配置されている。従って、近接する各切り込み１６は互いに縦方向及び横方向共に等間隔を空けて配置されている。
尚、本装置１０は、板状の炭素鋼、アルミニウム、アルミニウム合金等から作られる。
【００１８】
次に、本装置１０を水管１２とフィン１４とに設置した状態で、本装置１０の各切り込み１６を使用して支持金物２２を取付ける方法について説明する。
【００１９】
図５〜７を参照すれば、各切り込み１６はＬ型形状の支持金物２２に適合するように支持金物２２と略同形状のＬ型形状をなしている。支持金物２２をフィン１４に取付ける際、まず切り込み１６に支持金物２２を介挿させる。次に、支持金物２２をフィン１４に溶接により仮止めし、その後、本溶接する。
【００２０】
上述するように各切り込み１６は支持金物２２と同一形状であり、切り込み１６と支持金物２２との間の隙間が最小限にされる。このため仮止めの際に上下方向及びフィン１４に対する高さ方向のずれを防止することができると共に、上下方向及び横方向の傾斜を防止することができる。従って、フィン１４に対する支持金物２２の垂直性を確保することができる。さらに、溶接による熱変形を最小限にすることも可能である。
【００２１】
さらに、切り込み１６は縦方向及び横方向共に等間隔に配置されているため、本装置１０を定位置に保持させた状態で各切り込み１６を使用して支持金物２２を取付けることにより互いに縦方向と横方向に等間隔な支持金物群（本装置１０では６個の支持金物群）が形成される。従って、容易に数個の支持金物２２を同時に位置決めし、取付けすることができる。
【００２２】
また、上述した方法のみでは本装置１０で同時に取付けることが可能な数個の支持金物２２の位置関係を適正にすることしかできず、支持金物群自体が適正な位置に定められているか否か、ひいては多数のＳｉｃタイルの支持に適合する位置に各支持金物２２が存在するか否かは不明である。例えば、各支持金物が焼却炉の底部から適正な位置に取付けられているかは不明である。
【００２３】
従って以下、支持金物群同士を位置決めする方法について説明する。
図８に示すように、まず最下方に装着するタイルの支持金物を取付けるべく、本装置１０を焼却炉内壁の水管１２とフィン１４とに嵌合させて設置し、支持金物を溶着させ、上述したような支持金物群を創造する（第一工程）。
【００２４】
次に図９に示すように、既に取付けられた支持金物群のうちの最上段の支持金物２２ａに本装置１０の切り込みの最下段を介挿させることにより本装置１０を設置する。その後、上方の切り込みの位置で上記と同様に支持金物をフィンに取付ける（第二工程）。すなわち、第二工程においては、第一工程で既に取付けられた支持金物２２ａを最下段とした支持金物群が形成されることとなる。
【００２５】
従って、第一工程で形成された支持金物群と第二工程で形成された支持金物群とは、前者の最上段と後者の最下段とが重複し、この重複する支持金物２２ａを基準として上方に支持金物が適正に位置決めされる。その結果、第二工程で取り付けられた支持金物は第一工程で形成された支持金物群の最下段の２２ｂから適正な位置に位置決め及び取付けられることなる。
【００２６】
さらに、上方に向かって第二工程と同様の工程を繰り返していくことにより、第一工程の最下段２２ｂから適正な位置に支持金物を取付けていくことが可能である。
【００２７】
これにより第一工程において本装置１０を正確に位置決めさえすれば、その後、巻尺を用いたマーキング等をすることなく本装置のみを使用することにより上方に正確に多数の支持金物を取付けることができる。
【００２８】
以上、本明細書に添付した図面を参照しつつ、本発明の１つの実施の形態について説明してきたが、本発明の特許請求の範囲に記載された発明の精神と概念とを逸脱しない範囲で多数の改良例と変形例とが創造可能であることは、本発明の技術分野における当業者にとって明白であろう。
【００２９】
【発明の効果】
本発明は、焼却炉内壁に装着するＳｉｃタイル等を支持する支持物をフィンに対して垂直且つ正確な位置に取付けることができるという効果を奏する。
【００３０】
さらに、本発明によれば、上記支持物を作業員の能力に関係なく、容易且つ均一に取付けることができるために作業の迅速化、低廉化を図ることができる。
【図面の簡単な説明】
【図１】焼却炉内壁に耐火性を有する複数のタイルが装着された状態を示す立面図である。
【図２】図１の上方から見た断面図である。
【図３】図１のラインＡ−Ａに沿った断面図である。
【図４】本発明の支持物位置決め及び取付け装置が焼却炉内壁に設置された状態を示す斜視図である。
【図５】本発明の支持物位置決め及び取付け装置の支持物用部分（切り込み）に支持物が介挿された状態を示す斜視図である。
【図６】図５の支持物用部分を本発明の支持物位置決め及び取付け装置の側方から見た図である。
【図７】図６のラインＢ−Ｂに沿った断面図である。
【図８】本発明の支持物群同士を位置決めする方法の第一工程を示した図である。
【図９】本発明の支持物群同士を位置決めする方法の第二工程を示した図である。
【符号の説明】
１０…支持物位置決め及び取付け装置
１２…水管
１４…フィン
１６…支持物用部分（切り込み）
２０…タイル
２２、２２ａ、２２ｂ…支持具（支持金具）
２４…支持具受承穴（支持金具受承穴）
【図１】
0003913065.tif 000002
【図２】
0003913065.tif 000003
【図３】
0003913065.tif 000004
【図４】
0003913065.tif 000005
【図５】
0003913065.tif 000006
【図６】
0003913065.tif 000007
【図７】
0003913065.tif 000008
【図８】
0003913065.tif 000009
【図９】
0003913065.tif 000010